(57)【特許請求の範囲】
【請求項１】
先行車の種類を判別するための先行車種類判別装置と、
先行車または自車の車速を測定するための車速測定装置と、
先行車と自車との間の現在の車間距離を測定するための車間距離測定装置と、
道路状況を判別するための道路状況判別装置と、
前記先行車種類判別装置によって判別された先行車の種類と、前記車速測定装置によって測定された車速と、前記車間距離測定装置によって測定された車間距離と、前記道路状況判別装置によって判別された道路状況と、に基づいて自車の加減速を制御するための加減速制御装置と、
を備えたことを特徴とする車間距離制御装置。
【請求項２】
前記先行車種類判別装置は、先行車が大型車であるか小型車であるかを判別するようになっており、
前記加減速制御装置は、前記先行車種類判別装置によって判別された先行車の種類が大型車であった場合、前記先行車種類判別装置によって判別された先行車の種類が小型車であった場合と比較して、先行車に対する車間距離が相対的に大きくなるように自車の加減速を制御するようになっている
ことを特徴とする請求項１に記載の車間距離制御装置。
【請求項３】
前記道路状況判別装置は、道路状況がトンネル内であるか否かを判別するようになっており、
前記加減速制御装置は、前記道路状況判別装置によって判別された道路状況がトンネル内であった場合、前記道路状況判別装置によって判別された道路状況がトンネル内でなかった場合と比較して、先行車に対する車間距離が相対的に大きくなるように自車の加減速を制御するようになっている
ことを特徴とする請求項１または２に記載の車間距離制御装置。
【請求項４】
先行車の種類を判別する先行車種類判別工程と、
先行車または自車の車速を測定する車速測定工程と、
先行車と自車との間の現在の車間距離を測定するための車間距離測定工程と、
道路状況を判別する道路状況判別工程と、
前記先行車種類判別工程において判別された先行車の種類と、前記車速測定工程において測定された車速と、前記車間距離測定工程において測定された車間距離と、前記道路状況判別工程において判別された道路状況と、に基づいて自車の加減速を制御する加減速制御工程と、
を備えたことを特徴とする車間距離制御方法。
【請求項５】
前記先行車種類判別工程においては、先行車が大型車であるか小型車であるかが判別されるようになっており、
前記加減速制御工程においては、前記先行車種類判別装置によって判別された先行車の種類が大型車であった場合、前記先行車種類判別装置によって判別された先行車の種類が小型車であった場合と比較して、先行車に対する車間距離が相対的に大きくなるように自車の加減速が制御されるようになっている
ことを特徴とする請求項４に記載の車間距離制御方法。
【請求項６】
前記道路状況判別工程においては、道路状況がトンネル内であるか否かが判別されるようになっており、
前記加減速制御工程においては、前記道路状況判別装置によって判別された道路状況がトンネル内であった場合、前記道路状況判別装置によって判別された道路状況がトンネル内でなかった場合と比較して、先行車に対する車間距離が相対的に大きくなるように自車の加減速が制御されるようになっている
ことを特徴とする請求項４または５に記載の車間距離制御方法。
【発明の詳細な説明】
【技術分野】
【０００１】
本発明は、車間距離制御装置及び車間距離制御方法に関する。
【背景技術】
【０００２】
カメラやレーザーレーダなどのセンサを用いて先行車と自車との車間距離を計測し、その車間距離が設定値となるように自動で加減速制御を行う車間距離制御システム（ＡＣＣ：Adaptive Cruise Control）は、すでに実用化（商品化）されている。
【０００３】
より具体的には、車間距離制御システムの車間距離の設定値は、先行車の車速（自車が一定の車間距離をあけて走行する場合、自車の車速に等しい）に基いて決められる。そして、前記センサを用いて物理的に計測される先行車と自車との車間距離が、先行車の車速に基づく当該設定値に合致するように、自車の加減速制御がなされる。
【０００４】
ここで、人間は、車速が速ければ速いほど、実際の車速よりも速さを強く認識することが分かっている。このことが影響して、実際の車速と人間が体感する車間距離との間の関係にも、非線形特性が存在する。また、車間距離が長くなればなるほど、人間は実際の車間距離よりも短く当該車間距離を認識する、という非線形特性も存在する。これらの非線形特性の存在は、Weber-Fechnerの法則として知られ、例えば特許文献１に開示された車両制御技術においてすでに考慮されている。
【先行技術文献】
【特許文献】
【０００５】
【特許文献１】特開２０１０−２７４８３８
【発明の概要】
【発明が解決しようとする課題】
【０００６】
本件発明者は、人間が体感する車間距離、特に、運転者が安全であるという安心感を感じながら運転を継続できる車間距離、について鋭意検討を重ねてきた。そして、人間が体感する車間距離は、先行車の車速（一定の車間距離で走行している場合の自車の車速でもある）のみならず、先行車の種類や走行道路環境にも大きく影響されることを知見した。
【０００７】
本発明は、以上のような背景に基づいて創案されたものである。本発明の目的は、先行車の車速（一定の車間距離で走行している場合の自車の車速でもある）のみならず、先行車の種類や走行道路環境をも考慮した車間距離制御装置及び車間距離制御方法を提供することである。
【課題を解決するための手段】
【０００８】
本発明は、先行車の種類を判別するための先行車種類判別装置と、先行車または自車の車速を測定するための車速測定装置と、先行車と自車との間の現在の車間距離を測定するための車間距離測定装置と、道路状況を判別するための道路状況判別装置と、前記先行車種類判別装置によって判別された先行車の種類と、前記車速測定装置によって測定された車速と、前記車間距離測定装置によって測定された車間距離と、前記道路状況判別装置によって判別された道路状況と、に基づいて自車の加減速を制御するための加減速制御装置と、を備えたことを特徴とする車間距離制御装置である。
【０００９】
本発明によれば、先行車種類判別装置によって判別された先行車の種類に基づいて自車の加減速が制御されるため、運転者が安全であるという安心感を感じながら運転を継続できる車間距離を、より高い信頼性をもって提供することができる。更に、本発明によれば、道路状況判別装置によって判別された道路状況に基づいて自車の加減速が制御されるため、運転者が安全であるという安心感を感じながら運転を継続できる車間距離を、更に高い信頼性をもって提供することができる。
【００１０】
具体的には、例えば、先行車種類判別装置は、先行車が大型車であるか小型車であるかを判別するようになっており、加減速制御装置は、先行車種類判別装置によって判別された先行車の種類が大型車であった場合、先行車種類判別装置によって判別された先行車の種類が小型車であった場合と比較して、先行車に対する車間距離が相対的に大きくなるように自車の加減速を制御するようになっている。
【００１１】
本件発明者による知見によれば、人間が体感する車間距離は、先行車が小型車である場合と比較して先行車が大型車である場合には、実際の車間距離よりも短く感じる。換言すれば、先行車が小型車である場合と比較して、先行車が大型車である場合には、運転者が安全であるという安心感を感じながら運転を継続できる車間距離は、相対的に大きいということである。前段落に記載された制御態様は、そのような運転者の認識上の特性に合致したものであり、従って、運転者に対して、より高い信頼性をもって安心感を与えることができる。
【００１４】
また、具体的には、例えば、道路状況判別装置は、道路状況がトンネル内であるか否かを判別するようになっており、加減速制御装置は、道路状況判別装置によって判別された道路状況がトンネル内であった場合、道路状況判別装置によって判別された道路状況がトンネル内でなかった場合と比較して、先行車に対する車間距離が相対的に大きくなるように自車の加減速を制御するようになっている。
【００１５】
本件発明者による知見によれば、人間が体感する車間距離は、道路状況がトンネル内である場合には、実際の車間距離よりも短く感じる。換言すれば、道路状況がトンネル内ではない場合と比較して、道路状況がトンネル内である場合には、運転者が安全であるという安心感を感じながら運転を継続できる車間距離は、相対的に大きいということである。前段落に記載された制御態様は、そのような運転者の認識上の特性に合致したものであり、従って、運転者に対して、より高い信頼性をもって安心感を与えることができる。
【００１８】
また、本発明は、先行車の種類を判別する先行車種類判別工程と、先行車または自車の車速を測定する車速測定工程と、先行車と自車との間の現在の車間距離を測定するための車間距離測定工程と、道路状況を判別する道路状況判別工程と、前記先行車種類判別工程において判別された先行車の種類と、前記車速測定工程において測定された車速と、前記車間距離測定工程において測定された車間距離と、前記道路状況判別工程において判別された道路状況と、に基づいて自車の加減速を制御する加減速制御工程と、を備えたことを特徴とする車間距離制御方法である。
【００１９】
本発明によれば、先行車種類判別工程において判別された先行車の種類に基づいて自車
の加減速が制御されるため、運転者が安全であるという安心感を感じながら運転を継続で
きる車間距離を、より高い信頼性をもって提供することができる。更に、本発明によれば、道路状況判別工程において判別された道路状況に基づいて自車の加減速が制御されるため、運転者が安全であるという安心感を感じながら運転を継続できる車間距離を、更に高い信頼性をもって提供することができる。
【００２０】
具体的には、例えば、先行車種類判別工程においては、先行車が大型車であるか小型車であるかが判別されるようになっており、加減速制御工程においては、先行車種類判別工程において判別された先行車の種類が大型車であった場合、先行車種類判別工程において判別された先行車の種類が小型車であった場合と比較して、先行車に対する車間距離が相対的に大きくなるように自車の加減速が制御されるようになっている。
【００２１】
本件発明者による知見によれば、人間が体感する車間距離は、先行車が小型車である場合と比較して先行車が大型車である場合には、実際の車間距離よりも短く感じる。換言すれば、先行車が小型車である場合と比較して、先行車が大型車である場合には、運転者が安全であるという安心感を感じながら運転を継続できる車間距離は、相対的に大きいということである。前段落に記載された制御態様は、そのような運転者の認識上の特性に合致したものであり、従って、運転者に対して、より高い信頼性をもって安心感を与えることができる。
【００２４】
また、具体的には、例えば、道路状況判別工程においては、道路状況がトンネル内であるか否かが判別されるようになっており、加減速制御工程においては、道路状況判別工程において判別された道路状況がトンネル内であった場合、道路状況判別装置において判別された道路状況がトンネル内でなかった場合と比較して、先行車に対する車間距離が相対的に大きくなるように自車の加減速が制御されるようになっている。
【００２５】
本件発明者による知見によれば、人間が体感する車間距離は、道路状況がトンネル内である場合には、実際の車間距離よりも短く感じる。換言すれば、道路状況がトンネル内ではない場合と比較して、道路状況がトンネル内である場合には、運転者が安全であるという安心感を感じながら運転を継続できる車間距離は、相対的に大きいということである。前段落に記載された制御態様は、そのような運転者の認識上の特性に合致したものであり、従って、運転者に対して、より高い信頼性をもって安心感を与えることができる。
【発明の効果】
【００２８】
本発明によれば、先行車種類判別装置によって判別された先行車の種類に基づいて自車
の加減速が制御されるため、運転者が安全であるという安心感を感じながら運転を継続で
きる車間距離を、より高い信頼性をもって提供することができる。更に、本発明によれば、道路状況判別装置によって判別された道路状況に基づいて自車の加減速が制御されるため、運転者が安全であるという安心感を感じながら運転を継続できる車間距離を、更に高い信頼性をもって提供することができる。
【００３０】
あるいは、本発明によれば、先行車種類判別工程において判別された先行車の種類に基
づいて自車の加減速が制御されるため、運転者が安全であるという安心感を感じながら運
転を継続できる車間距離を、より高い信頼性をもって提供することができる。更に、本発明によれば、道路状況判別工程において判別された道路状況に基づいて自車の加減速が制御されるため、運転者が安全であるという安心感を感じながら運転を継続できる車間距離を、更に高い信頼性をもって提供することができる。
【図面の簡単な説明】
【００３２】
【図１】本発明の一実施の形態の車間距離制御装置を示す概略ブロック図である。
【図２】先行車が小型車である場合と先行車が大型車である場合とで、運転者が安心できる車間距離を比較した図である。
【図３】図２の特性を反映させた速度−車間距離の対応例である。
【図４】道路状況がトンネル内でない場合と道路状況がトンネル内である場合とで、運転者が安心できる車間距離を比較した図である。
【図５】図４の特性を反映させた速度−車間距離の対応例である。
【図６】本発明の一実施の形態の車間距離制御方法を示す概略フロー図である。
【発明を実施するための形態】
【００３３】
以下に、添付の図面を参照して、本発明の一実施の形態を詳細に説明する。
【００３４】
図１は、本発明の一実施の形態の車間距離制御装置を示す概略ブロック図である。図１に示すように、本実施の形態の車間距離制御装置１０は、先行車の種類を判別するための先行車種類判別装置１１と、先行車または自車の車速を測定するための車速測定装置１２と、先行車と自車との間の現在の車間距離を測定するための車間距離測定装置１３と、先行車種類判別装置１１によって判別された先行車の種類と、車速測定装置１２によって測定された車速と、車間距離測定装置１３によって測定された車間距離と、に基づいて自車の加減速を制御するための加減速制御装置１４と、を備えている。
【００３５】
本実施の形態の先行車種類判別装置１１は、例えばカメラ及び画像処理装置からなり、先行車の存在の有無を判別すると共に、先行車が大型車であるか小型車であるかを判別するようになっている。そして、本実施の形態の加減速制御装置１４は、先行車種類判別装置１１によって判別された先行車の種類が大型車であった場合、先行車種類判別装置１１によって判別された先行車の種類が小型車であった場合と比較して、先行車に対する車間距離が相対的に大きくなるように自車の加減速を制御するようになっている。
【００３６】
本件発明者による知見によれば、人間が体感する車間距離は、先行車が小型車である場合と比較して先行車が大型車である場合には、実際の車間距離よりも短く感じる。換言すれば、先行車が小型車である場合と比較して、先行車が大型車である場合には、運転者が安全であるという安心感を感じながら運転を継続できる車間距離は、相対的に大きいということである。
【００３７】
図２を参照して、そのような現象を説明する。図２（ａ）は、ある運転者が、小型車である先行車に対して一定の車間距離をあけて走行していた場合において、当該車間距離が安全であると認識していた状態の一例であり、図２（ｂ）は、同じ運転者が、大型車である先行車に対して一定の車間距離をあけて走行していた場合において、当該車間距離が安全であると認識していた状態の一例である。図２（ａ）と図２（ｂ）とを比較すれば一目瞭然である通り、先行車が小型車である場合と比較して、先行車が大型車である場合には、運転者が安全であるという安心感を感じながら運転を継続できる車間距離は、相対的に大きい。
【００３８】
先行車の種類ごとに（大型車と小型車）、多くの運転者に、安全であるとの認識を維持しつつ一定の車間距離をあけた走行実験を行って貰い、先行車の速度（車間距離が一定であれば自車の速度に等しい）に対応した当該車間距離に関するデータを収集した結果が、図３のグラフである。図３に示すように、各速度において、先行車が小型車である場合と比較して、先行車が大型車である場合、運転者が安全であるという安心感を感じながら運転を継続できる車間距離は、相対的に大きい。
【００３９】
そして、本実施の形態の加減速制御装置１４は、先行車の速度が自車の設定速度以下である場合に（先行車の速度が自車の設定速度を超えている状態では、先行車を追いかけず、先行車がいない走行状態（車間距離制御はなされない）に切り替わる）、自車の速度を先行車の速度に追随させながら、先行車に対する車間距離が図３のグラフを満たすように自車の加減速を制御するようになっている。このような制御態様は、運転者の認識上の特性に合致したものであり、より高い信頼性をもって車間距離に関する安心感を提供することが期待できる。
【００４０】
一方、本実施の形態の車間距離制御装置１０は、道路状況を判別するための道路状況判別装置１５を更に備えている。道路状況判別装置１５も、例えばカメラ及び画像処理装置からなる。そして、本実施の形態の加減速制御装置１０は、当該道路状況判別装置１５によって判別された道路状況をも考慮に入れて自車の加減速を制御するようになっている。
【００４１】
本実施の形態の道路状況判別装置１５は、道路状況がトンネル内であるか否かを判別するようになっている。そして、本実施の形態の加減速制御装置１０は、道路状況判別装置１５によって判別された道路状況がトンネル内であった場合、道路状況判別装置１５によって判別された道路状況がトンネル内でなかった場合と比較して、先行車に対する車間距離が相対的に大きくなるように自車の加減速を制御するようになっている。
【００４２】
本件発明者による知見によれば、人間が体感する車間距離は、道路状況がトンネル内である場合には、実際の車間距離よりも短く感じる。換言すれば、道路状況がトンネル内ではない場合と比較して、道路状況がトンネル内である場合には、運転者が安全であるという安心感を感じながら運転を継続できる車間距離は、相対的に大きいということである。
【００４３】
図４を参照して、そのような現象を説明する。図４（ａ）は、ある運転者が、トンネル内でない道路状況において先行車に対して一定の車間距離をあけて走行していた場合において、当該車間距離が安全であると認識していた状態の一例であり、図４（ｂ）は、同じ運転者が、トンネル内において先行車に対して一定の車間距離をあけて走行していた場合において、当該車間距離が安全であると認識していた状態の一例である。図４（ａ）と図４（ｂ）とを比較すれば一目瞭然である通り、道路状況がトンネル内でなかった場合と比較して、道路状況がトンネル内である場合には、運転者が安全であるという安心感を感じながら運転を継続できる車間距離は、相対的に大きい。
【００４４】
道路状況の種類ごとに（トンネル内とトンネル外）、多くの運転者に、安全であるとの認識を維持しつつ一定の車間距離をあけた走行実験を行って貰い、先行車の速度（車間距離が一定であれば自車の速度に等しい）に対応した当該車間距離に関するデータを収集した結果が、図５のグラフである。図５に示すように、各速度において、道路状況がトンネル内でない場合と比較して、道路状況がトンネル内である場合、運転者が安全であるという安心感を感じながら運転を継続できる車間距離は、相対的に大きい。
【００４５】
そして、本実施の形態の加減速制御装置１４は、先行車の速度が自車の設定速度以下である場合に（先行車の速度が自車の設定速度を超えている状態では、先行車を追いかけず、先行車がいない走行状態（車間距離制御はなされない）に切り替わる）、自車の速度を先行車の速度に追随させながら、先行車に対する車間距離が図５のグラフを満たすように自車の加減速を制御するようになっている。このような制御態様は、運転者の認識上の特性に合致したものであり、より高い信頼性をもって車間距離に関する安心感を提供することが期待できる。
【００４６】
加減速制御装置１４のその他の機能構成は、従来のＡＣＣの加減速制御装置の機能構成が流用可能である。また、車速測定装置１２については、種々の公知の車速測定装置が流用され得て、先行車の車速を測定してもよいし、自車の車速を測定してもよい。いずれの測定値を用いるかは、加減速制御装置１４側の要請によって決まる。車間距離測定装置１３についても、カメラやレーザーレーダ等のセンサを含む種々の公知の車間距離測定装置が流用され得る。
【００４７】
次に、以上のような本実施の形態の作用、すなわち、車間距離制御方法の一実施の形態について、図６を参照して説明する。図６は、本発明の一実施の形態の車間距離制御方法を示す概略フロー図である。
【００４８】
ＡＣＣ機能の実施が選択されると（ＳＴＥＰ０１）、従来より既知の様々な態様でドライバセット車速Ｖｓｅｔが設定される（ＳＴＥＰ０２）。
【００４９】
そして、本実施の形態の先行車種類判別装置１１は、例えば所定のサンプリング時間ごとに、先行車の存在の有無を検知する（ＳＴＥＰ０３）。先行車の認識（判別）は、同一車線の遠い前方を走っていた先行車に自車が追いつくことで開始されるか、あるいは、異なる車線を走っていた先行車が車線変更したことで開始される。
【００５０】
ＳＴＥＰ０３において、先行車の存在が無い場合には、本発明の車間制御とは無関係の制御、具体的には、ドライバセット車速Ｖｓｅｔに基づく定速制御が実施される。ここで、本実施の形態では、道路状況判別装置１５によって道路状況がトンネル内であるか否かが判別される（ＳＴＥＰ３１）。
【００５１】
そして、本実施の形態の加減速制御装置１０は、道路状況判別装置１５によって判別された道路状況がトンネル内であった場合、目標車速をドライバセット車速Ｖｓｅｔから補正する（ＳＴＥＰ３３）。これは、道路状況がトンネル内でなかった場合と比較して、道路状況がトンネル内である場合には、運転者が体感する速度が相対的に大きい、という現象を考慮した制御内容であり、運転者は当該トンネル内においても安全であるという安心感を十分に感じることができ、ＡＣＣの解除を考慮する必要がない。一方、道路状況判別装置１５によって判別された道路状況がトンネル内でなければ、目標車速をドライバセット車速Ｖｓｅｔとした定速制御が実施される（ＳＴＥＰ３２）。
【００５２】
ＳＴＥＰ０３において、先行車の存在がある場合、先行車種類判別装置１１によって先行車の種類が判別される（ＳＴＥＰ０４）。そして、本実施の形態では、先行車が大型車である場合も、小型車である場合も、道路状況判別装置１５によって道路状況がトンネル内であるか否かが判別される（ＳＴＥＰ１１、ＳＴＥＰ１２）。
【００５３】
そして、先行車が大型車であって、道路状況がトンネル内でなかった場合には、図３及び図５の破線の対応関係に基づいて車間距離制御が実施される（ＳＴＥＰ１２）。すなわち、自車の速度を先行車の速度に追随させながら、車速測定装置１２によって測定される先行車または自車の車速に基づいて、先行車に対する車間距離（車間距離測定装置１３によって測定される）が図３及び図５の破線の対応関係となるように自車の加減速が制御される。図３及び図５の破線の対応関係は、車速をｘ（ｋｍ／ｈ）、目標車間距離をｙ（ｍ）とした時、ｙ＝１８．１８４ｅ0.0169xという関数で表される。
【００５４】
一方、先行車が大型車であって、道路状況がトンネル内であった場合には、図５の二点鎖線の対応関係に基づいて車間距離制御が実施される（ＳＴＥＰ１３）。すなわち、自車の速度を先行車の速度に追随させながら、車速測定装置１２によって測定される先行車または自車の車速に基づいて、先行車に対する車間距離（車間距離測定装置１３によって測定される）が図５の二点鎖線の対応関係となるように自車の加減速が制御される。図５の二点鎖線の対応関係は、車速をｘ（ｋｍ／ｈ）、目標車間距離をｙ（ｍ）とした時、ｙ＝１８．５９４ｅ0.0222xという関数で表される。
【００５５】
また、先行車が小型車であって、道路状況がトンネル内でなかった場合には、図３及び図５の実線の対応関係に基づいて車間距離制御が実施される（ＳＴＥＰ２２）。すなわち、自車の速度を先行車の速度に追随させながら、車速測定装置１２によって測定される先行車または自車の車速に基づいて、先行車に対する車間距離（車間距離測定装置１３によって測定される）が図３及び図５の実線の対応関係となるように自車の加減速が制御される。図３及び図５の実線の対応関係は、車速をｘ（ｋｍ／ｈ）、目標車間距離をｙ（ｍ）とした時、ｙ＝１０．４１５ｅ0.0192xという関数で表される。
【００５６】
最後に、先行車が小型車であって、道路状況がトンネル内であった場合には、図５の一点鎖線の対応関係に基づいて車間距離制御が実施される（ＳＴＥＰ２３）。すなわち、自車の速度を先行車の速度に追随させながら、車速測定装置１２によって測定される先行車または自車の車速に基づいて、先行車に対する車間距離（車間距離測定装置１３によって測定される）が図５の一点鎖線の対応関係となるように自車の加減速が制御される。図５の一点鎖線の対応関係は、車速をｘ（ｋｍ／ｈ）、目標車間距離をｙ（ｍ）とした時、ｙ＝１１．２３４ｅ0.0222xという関数で表される。
【００５７】
各車間距離制御（ＳＴＥＰ１２、ＳＴＥＰ１３、ＳＴＥＰ２２、ＳＴＥＰ２３）ないし各定速制御（ＳＴＥＰ３２、ＳＴＥＰ３４）の実施後は、ＡＣＣが継続されるか否かの確認工程（ＳＴＥＰ４１）を経て、ＳＴＥＰ０３に戻り、先行車の存在の有無の判断以降のステップが繰り返される。
【００５８】
以上の通り、本実施の形態によれば、先行車種類判別装置１１によって判別された先行車の種類に基づいて自車の加減速が制御されるため、運転者が安全であるという安心感を感じながら運転を継続できる車間距離を、より高い信頼性をもって提供することができる。
【００５９】
前述したように、先行車が小型車である場合と比較して、先行車が大型車である場合には、運転者が安全であるという安心感を感じながら運転を継続できる車間距離は、相対的に大きい。本実施の形態の制御態様は、そのような運転者の認識上の特性に合致したものであり、運転者に対してより高い信頼性をもって安心感を与えることができる。
【００６０】
更に、本実施の形態によれば、道路状況判別装置１５によって判別された道路状況に基づいて自車の加減速が制御されるため、運転者が安全であるという安心感を感じながら運転を継続できる車間距離を、より高い信頼性をもって提供することができる。
【００６１】
前述したように、道路状況がトンネル内でなかった場合と比較して、道路状況がトンネル内である場合には、運転者が安全であるという安心感を感じながら運転を継続できる車間距離は、相対的に大きい。本実施の形態の制御態様は、そのような運転者の認識上の特性に合致したものであり、運転者に対してより高い信頼性をもって安心感を与えることができる。
【符号の説明】
【００６２】
１０  車間距離制御装置
１１  先行車種類判別装置
１２  車速測定装置
１３  車間距離測定装置
１４  加減速制御装置
１５  道路状況判別装置
【図１】
0006395115.tif 000002
【図２】
0006395115.tif 000003
【図３】
0006395115.tif 000004
【図４】
0006395115.tif 000005
【図５】
0006395115.tif 000006
【図６】
0006395115.tif 000007